(57)【要約】 【構成】  遊技台にＲＦＩＤリーダを取り付けて店員のＩＤを読み取り、入店中の店員のＩＤである場合に限り、扉のロックを解除する。また扉の開閉時刻と店員のＩＤとを記憶する。【効果】  遊技台の扉が不正に開けられるのを防止すると共に、誰が扉を開けたのかの記録を作成できる。【選択図】    図１
2006314685.tif 000002
【特許請求の範囲】
【請求項１】
入退出時に店員のＩＤを読み取るための入退出管理用のＩＤリーダと、
入店中の店員のＩＤを記憶するためのＩＤ記憶手段と、
遊技台の扉にアクセスする店員のＩＤを読み取るための台のＩＤリーダと、
読み取ったＩＤを入店中の店員のＩＤと照合するための照合手段と、
照合手段での照合により遊技台の扉のロックを解除するためのロック解除手段と、
ロックの解除に用いられたＩＤを記憶するための履歴記憶手段とを設けた、遊技場の保安システム。
【請求項２】
店員のＩＤ以外にスーパーバイザのＩＤを設けて、台のＩＤリーダがスーパーバイザのＩＤを読み取った際に、照合手段がスーパーバイザのＩＤであることを確認すると、入店中か退出中かによらずにロック解除手段で遊技台のロックを解除するように構成すると共に、履歴記憶手段はスーパーバイザによりロックが解除されたことを記憶するようにしたことを特徴とする、請求項１の遊技場の保安システム。
【請求項３】
前記ＩＤはＲＦＩＤで、ＲＦＩＤ自体のＩＤデータをＩＤとすることを特徴とする、請求項１または２の遊技場の保安システム。
【請求項４】
遊技台の扉の開閉センサを設けて、照合手段がロックを解除していない際に扉が開けられたことを検出するようにしたことを特徴とする、請求項１〜３のいずれかの遊技場の保安システム。
【請求項５】
遊技台の扉にアクセスする店員のＩＤを読み取るためのＩＤリーダと、
入店中の店員のＩＤを記憶するためのＩＤ記憶手段と、
ＩＤリーダが読み取ったＩＤを入店中の店員のＩＤと照合するための照合手段と、
照合手段での照合により遊技台の扉のロックを解除するためのロック解除手段と、
ロックの解除に用いられたＩＤを記憶するための履歴記憶手段とを設けた、遊技場の保安装置。
【請求項６】
店員のＩＤ以外にスーパーバイザのＩＤを設けて、ＩＤリーダがスーパーバイザのＩＤを読み取った際に、照合手段がスーパーバイザのＩＤであることを確認すると、入店中か退出中かによらずにロック解除手段で遊技台のロックを解除するように構成すると共に、履歴記憶手段はスーパーバイザによりロックが解除されたことを記憶するようにしたことを特徴とする、請求項５の遊技場の保安装置。
【請求項７】
前記ＩＤはＲＦＩＤで、ＲＦＩＤ自体のＩＤデータをＩＤリーダにより読み取ることを特徴とする、請求項５または６の遊技場の保安装置。
【請求項８】
遊技台の扉の開閉センサを保安装置に接続して、前記照合手段がロックを解除していない際に扉が開けられたことを検出するようにしたことを特徴とする、請求項５〜７のいずれかの遊技場の保安装置。
【発明の詳細な説明】
【技術分野】
【０００１】
この発明は、パチンコ店やスロットマシン店等の遊技場の保安に関する。
【背景技術】
【０００２】
パチンコ台やスロットマシンの扉が開けられ、不正行為がなされることがあり、これは第３者によって行われることも、店員によって行われることもある。そこで第３者により扉が不正に開けられることを防止すると共に、店員が扉を開けて不正を行うことも防止する必要がある。
【発明の開示】
【発明が解決しようとする課題】
【０００３】
この発明の課題は、遊技台の扉が不正に開けられることを防止すると共に、扉を開けた店員の履歴を作成できるようにすることにある。
この発明の追加の課題は、特権的なＩＤを設けて遊技場のオーナー等が遊技台の扉を開閉でき、しかも扉の開閉履歴を残せるようにすることにある。
この発明の追加の課題はまた、ＩＤの偽造を防止して、セキュリティを向上させることにある。
この発明の追加の課題は、ＩＤを持たない者が扉を開けると検出できるようにすることにある。
【課題を解決するための手段】
【０００４】
この発明の遊技場の保安システムは、入出時に店員のＩＤを読み取るための入退出管理用のＩＤリーダと、
入店中の店員のＩＤを記憶するためのＩＤ記憶手段と、
遊技台の扉にアクセスする店員のＩＤを読み取るための台のＩＤリーダと、
読み取ったＩＤを入店中の店員のＩＤと照合するための照合手段と、
照合手段での照合により遊技台の扉のロックを解除するためのロック解除手段と、
ロックの解除に用いられたＩＤを記憶するための履歴記憶手段とを設けたものである。
【０００５】
好ましくは、店員のＩＤ以外にスーパーバイザのＩＤを設けて、台のＩＤリーダがスーパーバイザのＩＤを読み取った際に、照合手段がスーパーバイザのＩＤであることを確認すると、入店中か退出中かによらずにロック解除手段で遊技台のロックを解除するように構成すると共に、履歴記憶手段はスーパーバイザによりロックが解除されたことを記憶する。
【０００６】
また好ましくは、前記ＩＤはＲＦＩＤで、ＲＦＩＤ自体のＩＤデータをＩＤとする。
好ましくは、遊技台の扉の開閉センサを設けて、照合手段がロックを解除していない際に扉が開けられたことを検出する。
【０００７】
この発明の遊技場の保安装置は、遊技台の扉にアクセスする店員のＩＤを読み取るためのＩＤリーダと、
入店中の店員のＩＤを記憶するためのＩＤ記憶手段と、
ＩＤリーダが読み取ったＩＤを入店中の店員のＩＤと照合するための照合手段と、
照合手段での照合により遊技台の扉のロックを解除するためのロック解除手段と、
ロックの解除に用いられたＩＤを記憶するための履歴記憶手段とを設けたものである。
【０００８】
好ましくは店員のＩＤ以外にスーパーバイザのＩＤを設けて、保安装置のＩＤリーダがスーパーバイザのＩＤを読み取った際に、照合手段がスーパーバイザのＩＤであることを確認すると、入店中か退出中かによらずにロック解除手段で遊技台のロックを解除するように構成すると共に、履歴記憶手段はスーパーバイザによりロックが解除されたことを記憶する。
【０００９】
また好ましくは、前記ＩＤはＲＦＩＤで、ＲＦＩＤ自体のＩＤデータを保安装置のＩＤリーダにより読み取る。
好ましくは、遊技台の扉の開閉センサを保安装置に接続して、保安装置の照合手段がロックを解除していない際に扉が開けられたことを検出する。
【発明の効果】
【００１０】
この発明では、入店中の店員が自己のＩＤを遊技台のＩＤリーダに読み取らせることにより、扉のロックが解除される。なお店員のＩＤが用いられても、入店中でなければロックは解除されない。そしてロックを解除すると、店員のＩＤを記憶する。このためＩＤを持たない者に対しては扉のロックが解除されず、また店員が不正を行うと、扉の開閉履歴から不正を行った店員を特定できる。なおＩＤの形態は例えばカード状とするが、形態は任意で、非接触で読み取れるＩＤが好ましい、好ましくは、どの遊技台のロックを解除するのを明確にして混信を防止すると共に、特定の姿勢でＩＤを台に読み取らせるようにするため、読み取り距離が例えば１０ｃｍ以下の短距離ＩＤを用いる。
【００１１】
ここで遊技場のオーナーなどのために、店員用のＩＤとは異なる特権的なＩＤを設けると便利である。ただし扉のロックを解除すると、オーナーなどにより扉が開かれたことが判明するように、履歴を記憶する。店員の場合どの店員かを特定するため、店員のＩＤを記憶するが、オーナーなどの場合は、スーパーバイザにより開かれたとの履歴自体を作成し、そのＩＤを記憶する必要はない。
【００１２】
ＩＤが偽造されると、ＩＤの本来の持ち主の店員が出店中であることを確認した上で、偽造のＩＤを利用し扉を開くことが可能になる。これに対してＲＦＩＤにはＩＤ自体のＩＤデータが書き換え不能に記録されており、このＩＤデータを用いるとＩＤの偽造が極めて難しくなる。
【００１３】
またロックを解除していないにも係わらず扉が開かれたことを、扉の開閉センサで検出すると、ＩＤを持たない者による不正をより確実に防止できる。  
【発明を実施するための最良の形態】
【００１４】
以下に発明を実施するための最適実施例を示す。
【実施例】
【００１５】
図１〜図４に実施例を示す。図において、２は保安装置で、例えばパチンコ台やスロットマシンの４台毎などに設け、４はそのＤＣ電源で、６はバスで、８は通信部で、例えばＲＳ４８５通信を行う。そして複数の保安装置２が例えばカスケード接続されている。１０はＩＤメモリで、ＥＥＰＲＯＭやＤＲＡＭなどを用い、入店中の店員のＩＤを記憶している。１２は保護処理部で、ＩＤメモリ１０のデータが露呈しないように保護する。例えばＩＤメモリ１０がＥＥＰＲＯＭの場合、保安装置２が電源から外されると、図示しない非常電源によりＥＥＰＲＯＭを初期化する。なおＩＤメモリ１０がＤＲＡＭの場合、保安装置２が取り外されると、非常電源を設けない限り、ＩＤデータが失われる。１４は照合部で、ＲＦＩＤリーダ１６で読み取ったＩＤをＩＤメモリ１０のデータと照合する。ＩＤには一般用とスーパーバイザ用の２通りがあり、スーパーバイザ用のＩＤを読み取った場合、通信部８を介してＩＤの妥当性を上位のコンピュータに質問し、入退出は問題にしない。
【００１６】
保安装置２は例えば４台のパチンコ台やスロットマシンを管理し、各台の例えば上部にアンテナ１７ａ〜１７ｄを設けて、ＲＦＩＤリーダ１６でＩＤを読み取る。１８は扉ロック部で、各台毎にソレノイドなどの扉１９ａ〜１９ｄを設ける。２０は扉センサ管理部で、各扉に対して扉センサ２１ａ〜２１ｄを設け、このセンサは扉が閉じていると微弱な電流が流れてオンし、扉が開かれると電流が遮断されてオフする。表示部２２は台毎のＬＥＤ２３ａ〜２３ｄを制御し、例えば扉が開いている際にＬＥＤをオンさせる。表示２４はＬＥＤやＬＣＤから成り、保安装置２に設けた表示で、保安装置２の状態を表示する。扉のロックを解除していないにも係わらず、扉開閉センサがオフすると、保安装置は例えば台の上部に設けた図示しない警報ランプで警報し、通信部から上位コンピュータへ報告する。
【００１７】
２６は設定スイッチで、保安装置２の設定を行うと共に、そのモードを設定する。保安装置２のモードには、遊技台を管理する管理モードと、店員の入退出を管理する入退出モードの２通りがある。Logファイル２８は保安装置２が得たデータを記憶し、例えば入退出モードでは、ＩＤカードのＩＤを読み取る毎に入店と退店の時刻とＩＤとを記憶する。台管理モードでは、各台のＩＤリーダで読み取ったＩＤと読取時刻並びに扉センサの開閉信号の変化を記憶する。セキュリティ処理部３０はパチンコ台やスロットマシンの扉に関するセキュリティ上の処理を行い、扉センサ管理部２０で扉が開いていることを検出した場合、Logファイル２８を参照して、それ以前にＩＤの照合が行われ、扉ロックの解除信号が扉ロック部１８に送られていることを確認し、そうで無い場合は警報する。またＩＤを照合した後扉が開かれるまでの時間が長すぎる、扉が開いた後例えば５分以上扉が閉じられていない、扉が閉じられた際にＩＤを読み取れなかった、などのイベントが発生すると、その旨をLogファイル２８に記憶すると共に、必要に応じて表示２４で表示する。
【００１８】
図２に示すように、保安装置２には例えば４台のパチンコ台やスロットマシンが接続され、遊技台にはＩＤ確認用のアンテナや扉ロック用のソレノイド、扉の開閉スイッチ及び警告用のＬＥＤなどが設けられ、これらが保安装置２に接続されている。
【００１９】
図３に示すように、各島４０には保安装置２がカスケード接続され、親の保安装置２ｂがＲＳ４８５−ＵＳＢ変換器４４を介して、管理用のパーソナルコンピュータ４２に接続されている。また２ａは店員の入退出管理用の保安装置で、その構造は一般の保安装置２と同様で、モードが異なる。パーソナルコンピュータ４２あるいは保安装置２ａにはカード登録用リーダ４６を設けて、ＩＤカードの登録を行う。４９は入退出スイッチで、入店か出店かをマニュアルで入力する。なおその日最初にＩＤカードを読み取った時を入店とし、その次に読み取った時を退店とするようにしても良い。４８は入退出用アンテナで、スイッチ４９が押された際に、ＩＤカードを読み取ることにより、店員の入店と出店とを検出し、入退出データとしてパーソナルコンピュータ４２等にＩＤと入退出時刻とを記憶する。保安装置２ａ並びにパーソナルコンピュータ４２は遊技場の事務室５０に設けて、不正に取得したＩＤカードなどが使用されないようにする。さらに各島４０の情報は保安装置２ｂからパーソナルコンピュータ４２へ送られ、入退出の情報は保安装置２ａからパーソナルコンピュータ４２に送られる。またパーソナルコンピュータ４２はＩＤカードの登録と登録の抹消や入退出の記録、パチンコ台やスロットマシンなどの扉の開閉記録、保安装置２ｂなどから送られる各保安装置２のLogファイルの保存などを行う。
【００２０】
図３の下側に示すように、ＩＤカード５２にＲＦＩＤ５４が埋め込まれ、ここではＲＦＩＤ５４中の書換不能なデータ、例えばＲＦＩＤ５４自体のＩＤをＩＤとして用いる。これによってＩＤカード５２が偽造されることを防止する。またＩＤカード５２には一般用とスーパーバイザ用の２種類があり、一般用は入店中にしか各台の扉を開けることができないが、スーパーバイザ用にはこのような制限はない。なおＩＤカード５２の種類やＩＤリーダの種類は任意であるが、例えば読取距離を数ｃｍ程度にして、１枚のＩＤカードを２台のＩＤリーダで同時に読み取ることを防止する。また各台のＩＤ確認用アンテナは台の上部などの、ＩＤを読み取らせていることが判りやすい位置に設け、不正カードの使用を困難にする。
【００２１】
図４に扉のセキュリティに関するアルゴリズムを示す。店員は一般用のＩＤカードを持ち、退職あるいは転勤するとＩＤカードは無効になる。そして店員は入店時に事務室でＩＤカードをかざして読み取らせ、退店時にも同様にＩＤカードを読み取らせる。店員の入店と退店のデータはＩＤデータとして保安装置に送られ、入店中の店員のＩＤのみがＩＤメモリ１０に記憶される。次に台の上部にあるアンテナに対して店員のＩＤカードがかざされると、読み取ったＩＤをＩＤメモリと照合して、入店中の店員のものであれば扉のロックを解除する。ＩＤメモリにないＩＤの場合、即ち入店していない店員のＩＤや、他の遊技場などで使用されているＩＤカードのＩＤの場合、ロックを解除せず、ＩＤがかざされた時刻と読み取ったＩＤ並びに台の番号を記録する。ロックを解除する場合も、ＩＤとロックを解除した時刻並びに台の番号を記録する。次いで扉が正常に閉じられたか否かを検出する。例えばロックを解除した後所定時間内に扉が閉じられ、この時もＩＤカードがかざされるはずである。正常に閉じられた場合、その時刻を記録し、正常に閉じられなかった場合、例えば扉のロックを解除してから所定時間経過後に扉をロックする。そしてその場合、扉をロックした時刻と台の番号並びに異常が生じたことを記録する。これらの記録は保安装置のLogファイルに一旦記憶し、パーソナルコンピュータに転送して保管する。
【００２２】
スーパーバイザ用のＩＤの場合、その旨を示すデータがＩＤカードに記載され、ＩＤメモリに記録されたスーパーバイザのＩＤと照合し、もしくは通信部を介してパーソナルコンピュータで照合してその結果を受信することにより、同様に扉のロックを解除する。スーパーバイザ用のＩＤカードの場合も、扉のロックを解除した時刻と台の番号、その時に読み取ったＩＤや扉を閉じた際の記録を同様に記憶する。
【００２３】
実施例ではＩＤカードを用いたが、これに代えてＲＦＩＤタグなどを用いても良い。また入退出の管理用の保安装置と、台の管理用の保管装置はハードウエアを別にしても良い。入店中の店員のＩＤをＩＤメモリに記憶する代わりに、読み取ったＩＤをその都度パーソナルコンピュータ４２に問い合わせても良い。
【００２４】
実施例では以下の効果が得られる。
(1)  店員や遊技場のオーナー以外の者によって遊技台の扉が開けられることを防止できる。
(2)  店員の場合、入店中にしか扉を開けることができず、いつだれがどの遊技台の扉を開けたのかを記録できる。
(3)  ＲＦＩＤ自体のＩＤのように書換不能のＩＤデータを用いるので、ＩＤカードの偽造が困難である。
(4)  保安装置が取り外されるとＩＤメモリのデータが消滅するので、保安装置からＩＤが盗まれることがない。
【図面の簡単な説明】
【００２５】
【図１】実施例の保安装置のブロック図
【図２】実施例とパチンコ台との接続を示す図
【図３】実施例の保安システムのブロック図
【図４】実施例でのパチンコ台の扉のセキュリティアルゴリズムを示すフローチャート
【符号の説明】
【００２６】
２          保安装置
４          ＤＣ電源
６          バス
８          通信部
１０        ＩＤメモリ
１２        保護処理部
１４        照合部
１６        ＲＦＩＤリーダ
１７ａ〜ｄ  アンテナ
１８        扉ロック部
１９ａ〜ｄ  錠
２０        扉センサ管理部
２１ａ〜ｄ  扉センサ
２２        表示部
２３ａ〜ｄ  ＬＥＤ
２４        表示
２６        設定スイッチ
２８        Logファイル
３０        セキュリティ処理部
４０        島
４２        パーソナルコンピュータ
４４        ＲＳ４８５−ＵＳＢコンバータ
４６        カード登録用メモリ
４８        入退出用アンテナ
４９        入退出スイッチ
５０        事務室
５２        ＩＤカード
５４        ＲＦＩＤ
【図１】
2006314685.tif 000003
【図２】
2006314685.tif 000004
【図３】
2006314685.tif 000005
【図４】
2006314685.tif 000006